(57)【要約】【課題】      ユーザによる機能毎の操作を必要とせずに、現在動作状態を検出し、その状態に応じて複数のプログラムの中から所望のプログラムを起動できる移動体通信端末を提供する。【解決手段】  移動体通信端末は、蓋部と本体部とをヒンジで連結して折り畳み可能にし、異なる機能を有する複数のプログラムを格納する。また、移動体通信端末は、本体部の、蓋部が閉じた状態において操作可能な位置に設けられたショートボタンを備えている。さらに、移動体通信端末は、蓋部の開閉状態を検出する機能と、現在動作状態を特定する機能と、を有している。ショートボタンの操作を検出し、且つ、蓋部が開状態であることを検出した場合には、特定された現在の動作状態に応じて、複数のプログラムから少なくとも１つのプログラムを選択して起動することができる。【選択図】    図４
2006332810.tif 000002
【特許請求の範囲】
【請求項１】
第１の筐体と第２の筐体とをヒンジで連結して折り畳み可能な移動体通信端末であって、
各々異なる機能を実行させる複数のプログラムを記憶するプログラム記憶手段と、
前記プログラム記憶手段に記憶されている複数のプログラムを起動して実行するプログラム起動手段と、
前記第２の筐体の、前記第１の筐体が閉状態において操作可能な位置に設けられた操作手段と、
前記操作手段の操作を検出する操作検出手段と、
前記第１の筐体の開閉状態を検出する開閉状態検出手段と、
前記操作検出手段により操作が検出されたときに、現在動作状態を特定する動作状態特定手段と、
を備え、
前記プログラム起動手段は、前記操作検出手段によって前記操作手段の操作が検出され、且つ、前記開閉状態検出手段により前記第１の筐体が開状態であることが検出された場合、前記動作状態特定手段により特定された現在の動作状態に応じて、前記複数のプログラムから少なくとも１つのプログラムを選択して起動する、
ことを特徴とする移動体通信端末。
【請求項２】
前記プログラム起動手段は、
前記操作検出手段によって前記操作手段の操作が検出されていない状態で、前記開閉状態検出手段によって前記第１の筐体の閉状態から開状態への変化が検出された場合、前記複数のプログラムのうちの特定のプログラムを起動する、
ことを特徴とする請求項１に記載の移動体通信端末。
【請求項３】
所定の画面表示を行う画面表示手段を備え、
前記特定のプログラムは、前記画面表示手段に着信を待ち受けるための待ち受け画面を表示するプログラムから構成される、
ことを特徴とする請求項２に記載の移動体通信端末。
【請求項４】
前記プログラム起動手段は、
前記第１の筐体の開閉状態と、前記動作状態特定手段により特定される動作状態と、前記操作手段の操作の有無と、に対応付けて、起動すべきプログラムを特定可能な識別情報を記憶する起動プログラム識別情報記憶手段と、
前記開閉状態手段により検出された開閉状態と、前記動作状態検出手段により検出される動作状態と、前記操作検出手段により検出された操作の有無と、に基づき、前記起動プログラム識別情報記憶手段を参照することにより、前記起動すべきプログラムを特定する起動プログラム特定手段と、
を含み、
前記起動プログラム特定手段によって特定されたプログラムを起動して実行する、
ことを特徴とする請求項１、２又は３に記載の移動体通信端末。
【発明の詳細な説明】
【技術分野】
【０００１】
本発明は、移動体通信端末に関し、特に、現在の動作状態に応じて適切なプログラムを選択して起動するプログラム起動機能を備える移動体通信端末に関する。
【背景技術】
【０００２】
近年、携帯電話などの移動体通信端末には、単なる電話としての通話機能だけでなく、コンピュータネットワークを通じて文字メッセージを交換できる電子メール機能や、ウェブページを閲覧できるブラウジング機能等、多種多様な機能が付加されてきている。これに伴い、移動体通信端末を扱うユーザは、所望のプログラムを起動するために煩雑な操作を必要とするようになった。そこで近年、移動体通信端末はユーザの煩雑な操作の負担を軽減するために、簡単な操作で所望のプログラムを起動できるように工夫がされてきた。例えば、特許文献１には、蓋部を開ける速度や、蓋部閉状態時のサイドキーの操作回数や、蓋部の開角度、等のユーザの操作に応じて、所望のプログラムを起動する技術が開示されている。
【特許文献１】特開２００４−２３５８６５号公報
【発明の開示】
【発明が解決しようとする課題】
【０００３】
特許文献１に記載の移動体通信端末においては、操作の煩雑さは軽減されたものの、いずれにせよ、所望のプログラムを起動するためには、ユーザ自身によるプログラムの選択と起動の指示が必要である。
また、このように、ユーザの操作回数が軽減されただけでは、今後、よりいっそう多種多様な機能が移動体通信端末に付加されてきた場合、ユーザはそれ相応の数の操作を記憶しなければならない。つまり、ユーザは多くの機能毎の操作を記憶しなければならないといった従来とは別種の煩わしさが生じ、使いづらいという問題がある。
【０００４】
本発明は、上記実状に鑑みてなされたものであり、より簡便に適切なプログラムを起動できる移動体通信端末を提供することを目的とする。
また、本発明は、ユーザによる機能毎の操作を必要とせずに、端末の現在の状態を検出し、その状態に応じて複数のプログラムの中から適切なプログラムを起動できる移動体通信端末を提供することを目的とする。
さらに、本発明は、使い易い移動体通信端末を提供することを目的とする。
【課題を解決するための手段】
【０００５】
上記目的を達成するため、本発明の第１の観点に係る移動体通信端末は、第１の筐体と第２の筐体とをヒンジで連結して折り畳み可能な移動体通信端末であって、各々異なる機能を実行させる複数のプログラムを記憶するプログラム記憶手段と、前記プログラム記憶手段に記憶されている複数のプログラムを起動して実行するプログラム起動手段と、前記第２の筐体の、前記第１の筐体が閉状態において操作可能な位置に設けられた操作手段と、前記操作手段の操作を検出する操作検出手段と、前記第１の筐体の開閉状態を検出する開閉状態検出手段と、前記操作検出手段により操作が検出されたときに、現在動作状態を特定する動作状態特定手段と、を備え、前記プログラム起動手段は、前記操作検出手段によって前記操作手段の操作が検出され、且つ、前記開閉状態検出手段により前記第１の筐体が開状態であることが検出された場合、前記動作状態特定手段により特定された現在の動作状態に応じて、前記複数のプログラムから少なくとも１つのプログラムを選択して起動する、ことを特徴とする。
【０００６】
また、上記移動体通信端末において、前記プログラム起動手段は、前記操作検出手段によって前記操作手段の操作が検出されていない状態で、前記開閉状態検出手段によって前記第１の筐体の閉状態から開状態への変化が検出された場合、前記複数のプログラムのうちの特定のプログラムを起動する、ようにしてもよい。
【０００７】
さらに、上記移動体通信端末において、所定の画面表示を行う画面表示手段を備え、前記特定のプログラムは、前記画面表示手段に着信を待ち受けるための待ち受け画面を表示するプログラムから構成される、ようにしてもよい。
【０００８】
また、上記移動体通信端末において、前記プログラム起動手段は、前記第１の筐体の開閉状態と、前記動作状態特定手段により特定される動作状態と、前記操作手段の操作の有無と、に対応付けて、起動すべきプログラムを特定可能な識別情報を記憶する起動プログラム識別情報記憶手段と、前記開閉状態手段により検出された開閉状態と、前記動作状態検出手段により検出される動作状態と、前記操作検出手段により検出された操作の有無と、に基づき、前記起動プログラム識別情報記憶手段を参照することにより、前記起動すべきプログラムを特定する起動プログラム特定手段と、を含み、前記起動プログラム特定手段によって特定されたプログラムを起動して実行する、ようにしてもよい。
【発明の効果】
【０００９】
本発明によれば、より簡便に適切なプログラムを起動できる移動体通信端末を提供することができる。
また、ユーザによる機能毎の操作を必要とせずに、端末の現在の状態を検出し、その状態に応じて複数のプログラムの中から適切なプログラムを起動できる移動体通信端末を提供することができる。
さらに、使い易い移動体通信端末を提供することができる。
【発明を実施するための最良の形態】
【００１０】
以下、本発明を実施するための最良の形態を詳細に説明する。
【００１１】
図１は、本発明の実施形態に係る移動体通信端末１の外観を示す図である。このうち、図１（ａ）は、蓋部を閉じた状態での移動体通信端末１の外観を示し、図１（ｂ）は、蓋部を開いた状態での移動体通信端末１の外観を示している。
【００１２】
図１に示す移動体通信端末１は、携帯電話やＰＨＳ（Personal Handyphone System）等といった移動体通信用の端末装置（電話機）であって、基地局（図示せず）を介して無線通話を可能ならしめる機能（無線通話機能）や、電子メールの送受信を行う機能（電子メール送受信機能）などを有している。
【００１３】
移動体通信端末１は、図１（ａ）に示すように、蓋部２と、本体部３と、蓋部２と本体部３とを連結するヒンジ部４と、を備え、折り畳み可能に構成されている。
【００１４】
蓋部２の背面には、サブ表示部５が設けられており、また本体部３の上部には、アンテナ６が、側面には、ショートボタン７がそれぞれ設けられている。
【００１５】
サブ表示部５は、例えば液晶表示装置（ＬＣＤ：Liquid Crystal Display）等から構成されており、後述するメイン表示部９に表示される情報の一部、例えばアンテナ６の受信強度や、電子メールの受信の有無、バッテリの残量などを示す絵図などが表示される。
【００１６】
アンテナ６は、移動体通信端末１の外部から入力される電磁波をアナログ信号に変換すると共に、送信信号を電磁波に変換して空中に放射するものである。
【００１７】
ショートボタン７は、蓋部２が閉じた状態におけるユーザの操作を可能ならしめるものである。また、このショートボタン７の押下動作に連動して自動で蓋部２が開くような機構が設けられる。
【００１８】
また、蓋部２の正面には、図１（ｂ）に示すように、スピーカ８と、メイン表示部９と、が設けられ、本体部３の正面には、キー操作部１０と、マイクロフォン１１と、が設けられている。
【００１９】
スピーカ８は、音声通話における着話音声や、着信音などを出力するものである。
【００２０】
メイン表示部９は、例えば液晶表示装置（ＬＣＤ：Liquid Crystal Display）等から構成され、利用者に対して各種情報を表示するための主画面であり、端末を開いた状態、つまり蓋部２が開いた状態で確認可能となるようになっている。メイン表示部９の画面上には、例えば電波の受信状況、メール受信の有無、バッテリ残量などの情報や、日時情報、あるいは移動体通信端末１による種々の動作を実行するためのメニュー画面などが表示される。
【００２１】
キー操作部１０は、例えば十字カーソルキーや、数字や文字を入力するための英数字キー、機能などを指定するためのボタン等から構成され、ユーザによって操作されるものである。
【００２２】
マイクロフォン１１は、音声通話時のユーザの発話音声を入力するものである。
【００２３】
次に、移動体通信端末１の内部の構成を説明する。移動体通信端末１は、図２に示すように、制御部２０と、無線部２１と、ブラウザ部２２と、ＩＭＡＰ部２３と、送受信部２４と、キー検出部２５と、開閉検出部２６と、表示制御部２７と、現在動作中機能検出部２８と、メール記憶部２９と、履歴記録部３０と、蓋部開閉スイッチ１２と、から構成されている。
【００２４】
制御部２０は、例えばＣＰＵ（Central Processing Unit）、ＲＯＭ（Read Only Memory）、及びＲＡＭ（Random Access Memory）等から構成されており、ＣＰＵがＲＯＭ等に記憶されている各種プログラムを適宜実行することによって、移動体通信端末１の各部の動作を制御する。なお、ＲＡＭは、ＣＰＵがプログラムを実行する際、ワークメモリとして用いられるものである。制御部２０は、機能的には、プログラム起動管理部４０と、スケジュール管理部４１と、Ｗｅｂ管理部４２と、メール管理部４３と、電話管理部４４と、を備える。
【００２５】
プログラム起動管理部４０は、制御部２０の中核をなし、キー検出部２５と、開閉検出部２６と、現在動作中機能検出部２８と、からの検出信号が入力されるものである。
また、プログラム起動管理部４０は、図３に示すような機能設定テーブル４５を参照し、この機能設定テーブル４５の内容に従って、スケジュール管理部４１、Ｗｅｂ管理部４２等の他の管理部に命令を発する。
【００２６】
機能設定テーブル４５には、キー検出部２５からの検出信号と、開閉検出部２６からの検出信号と、現在動作中機能検出部２８からの検出信号と、の組み合わせによって、どのプログラムを起動するかを対応づけるデータが記述されている。ここで、それぞれのプログラムには、手順コードが割り付けられている。プログラム起動管理部４０は、手順コードに従って、各プログラムを起動する。例えば、手順コードは、図３に示すように、動作機能ごとに割り付けられた数字等であればよい。  
また、機能設定テーブル４５を書き換えることで、移動体通信端末１は、動作状況に応じて起動するプログラムを容易に変更することができる。
【００２７】
スケジュール管理部４１は、メモリに記憶されたユーザのスケジュールデータを、読み書きする。
【００２８】
Ｗｅｂ管理部４２は、ブラウザ部２２を制御する。ブラウザ部２２は、インターネットのＷｅｂサーバにアクセスするために、無線部２１を介して、ＨＴＴＰプロトコルに従ってファイルを転送し、ＨＴＭＬで記述されたハイパーテキストを解読し、表示するものである。
【００２９】
メール管理部４３は、ＩＭＡＰ部２３を制御する。ＩＭＡＰ部２３は、無線部２１を介して、ＩＭＡＰプロトコルに従って電子メールを受信し、及びＳＭＴＰプロトコルに従って電子メールを送信するものである。
【００３０】
電話管理部４４は、送受信部２４を制御する。送受信部２４は、無線部２１から供給されるチップレートのデジタル信号に対して逆拡散処理及び位相補正処理を施すなどしてシンボルレートの受信信号を取得する。また、送受信部２４は、供給された送信信号に対してエラー訂正符号化処理、物理チャネルへのマッピング処理、及び拡散処理を施した後、これを無線部２１に供給する。
【００３１】
無線部２１は、アンテナ６から供給されるアナログ信号をダウンコンバートした後、アナログ信号に対して直交復調処理やＡ／Ｄ（Analog-Digital）変換処理を施すなどしてチップレートのデジタル信号を生成し、これを、ブラウザ部２２、ＩＭＡＰ部２３、送受信部２４に供給する。無線部２１は、ブラウザ部２２、ＩＭＡＰ部２３、送受信部２４から供給される送信信号にＤ／Ａ（Digital-Analog）変換処理及び変調処理を施した後、アップコンバートし、アンテナ６を介して基地局に送信する。
【００３２】
キー検出部２５は、ショートボタン７、およびキー操作部１０でのユーザの操作から、押されたキーを特定し、その信号をプログラム起動管理部４０に供給する。
【００３３】
蓋部開閉スイッチ１２は、蓋部２の開閉に係るロック機能の役割を果たす。例えば、蓋部開閉スイッチ１２がオフの状態であれば、ショートボタン７がユーザにより押し下げられても蓋部２は開かない。逆に、蓋部開閉スイッチ１２がオンの状態であれば、ショートボタン７がユーザにより押し下げられた場合、それに連動して蓋部２は開く。また、蓋部２が開いた時、蓋部開閉スイッチ１２はオフになる。
【００３４】
開閉検出部２６は、蓋部開閉スイッチ１２の状態から、蓋部開閉スイッチ１２がオンかオフかを判別し、その信号をプログラム起動管理部４０に供給する。
【００３５】
表示制御部２７は、制御部２０から供給されるビデオデータにデコード処理を施した後、アナログ信号に変換してメイン表示部９やサブ表示部５に出力する。これにより、メイン表示部９あるいはサブ表示部５には、メニュー画面等が表示される。
【００３６】
現在動作中機能検出部２８は、Ｗｅｂ管理部４２と、メール管理部４３と、電話管理部４４と、の状態を検出するものである。例えば、メール管理部４３の状態が電子メールの受信状態である場合、その状態に対応した手順コードをプログラム起動管理部４０に供給する。
【００３７】
メール記憶部２９は、受信ボックス部５０と、送信ボックス部５１と、から構成される。
【００３８】
受信ボックス部５０は、メール管理部４３によって取り込まれた電子メールを保存できる記憶領域であり、送信ボックス部５１は、ユーザが作成した電子メールを保存できる記憶領域である。これらメール記憶部２９は複数の記憶領域に分割することも可能である。
【００３９】
履歴記録部３０は、着信履歴記憶部５２と、発信履歴記憶部５３と、から構成される。
【００４０】
着信履歴記憶部５２は、電話管理部４４で着信した相手先の電話番号を保存できる記憶領域で、発信履歴記憶部５３は、電話管理部４４で発信した相手先の電話番号を保存できる記憶領域である。
【００４１】
次に、上記構成を備える移動体通信端末１の動作について説明する。
【００４２】
図４は、本実施形態における複数のプログラムの中から所望のプログラムを起動する処理の内容を示すフローチャートである。
【００４３】
まず、開閉検出部２６は、蓋部２の開閉状態から、蓋部開閉スイッチ１２信号がオンかオフかを判別し、その信号をプログラム起動管理部４０に供給する（ステップＳ１０１）。蓋部開閉スイッチ１２信号が蓋部２が開いている状態のオフ信号と判別された後に（ステップＳ１０１；Ｎｏ）、ユーザによってショートボタン７が押し下げられ、その状態がキー検出部２５で判別されれば（ステップＳ１１２；Ｙｅｓ）、蓋部２が開いた状態のまま、ショートボタンに対応するイベント処理を行う（ステップＳ１１３）。この時、例えばイベント処理が着信拒否処理の場合には、電話の着信音を消し、電話をかけてきた相手には電話に出ることができない旨等を機械的に伝言メッセージの通信が行われる。
【００４４】
また、ステップＳ１０１の処理にて蓋部開閉スイッチ１２信号が蓋部２が閉じらている状態のオン信号と判別された後に（ステップＳ１０１；Ｙｅｓ）、ユーザによってショートボタン７が押し下げられずに（ステップＳ１０２；Ｎｏ）、ユーザによって蓋部２が開けられて（ステップＳ１２０；Ｙｅｓ）、蓋部開閉スイッチ１２信号がオフ信号であることが開閉検出部２６で判別された場合には（ステップＳ１２１；Ｙｅｓ）、複数のプログラムから特定のプログラムを起動する（ステップＳ１２２）。例えば、メイン表示部９に「待受け画面」を表示するプログラムを起動する。また、ここで、蓋部開閉スイッチ１２は、蓋部２が開かれた時、自動的にオフ信号の状態になる。
【００４５】
また、ステップＳ１０２の処理にてユーザによってショートボタン７が押し下げられた場合には（ステップＳ１０２；Ｙｅｓ）、その操作に連動して自動的に蓋部２は開き、蓋部開閉スイッチ１２はオフの状態になる（ステップＳ１０３；Ｙｅｓ）。
【００４６】
このようにして、蓋部開閉スイッチ１２がオンの状態、つまり蓋部２が閉じた状態からショートボタン７が押し下げられ、蓋部開閉スイッチ１２がオフの状態に移行するといった条件が揃った場合には、フラグＦを「１」にする（ステップＳ１０４）。これによって、プログラム起動管理部４０の制御が開始される。
【００４７】
プログラム起動管理部４０は、まず、現在動作中機能検出部２８に現在動作中状態を検出させる（ステップＳ１０５）。そして、機能設定テーブル４５を参照して、現在動作中状態に対応した命令を実行する。
【００４８】
ここで、「リンギング報音中」という手順コード１１１を現在動作中機能検出部２８から受けた場合には（ステップＳ１０５；Ｙｅｓ）、この手順コード１１１に対応する処理を行うために、電話をかけてきた相手の発呼者電話番号等をメイン表示部９に表示するプログラムを直ちに起動する（ステップＳ１１４）。この時の、電話をかけてきた相手の発呼者電話番号等をメイン表示部９に表示するまでの手順を示したのが図５である。図５（ａ）は従来の移動体通信端末における手順を示し、手順１００、１１１の２つの手順によって行われ、図５（ｂ）は、本実施形態における手順を示し、手順１１０、１１１の２つの手順によって行われる。
【００４９】
また、図３に示す機能設定テーブル４５に設定されている「アラーム報音」という手順コード１２３〜１４３のいずれかの手順コードを現在動作中機能検出部２８から受けた場合には（ステップＳ１０６；Ｙｅｓ）、アラーム報音を停止させ、そのアラームがなんであるかの詳細をメイン表示部９に表示させるプログラムを起動する（ステップＳ１１５）。この処理手順に到達するには、従来の移動体通信端末にあっては、図６（ａ）に示すように、手順コード１００、手順コード１２１〜１２３の４つの手順で行われる。本実施形態においては、図６（ｂ）に示すように、手順コード１１０、手順１２２、１２３の３つの手順で行うことができる。これより、明らかに、ユーザの操作は軽減されていることがわかる。
【００５０】
次に、制御部２０は、「新規着信あり」という信号をＩＭＡＰ部２３または送受信部２４から受けたか否かの判別を行う（ステップＳ１０７）。この判別結果がＹｅｓであればステップＳ１０８の処理に進み、ＮｏであればステップＳ１２２の処理に進む。
ステップＳ１０８では、最新着信がＥメール（ロングメッセージメール）、Ｃメール（ショートメッセージメール）、着呼着信の何れかによるものかの検索を現在動作中機能検出部２８において行う（ステップＳ１０８）。
【００５１】
また、ステップＳ１２２では、メイン表示部９に「待受け」画面等を表示する特定プログラムを起動する（ステップＳ１２２）。
【００５２】
ここで、現在動作中機能検出部２８によって最新着信が「Ｅメール」であると判別された場合には（ステップＳ１０９；Ｙｅｓ）、現在動作中機能検出部２８によって機能設定テーブル４５が参照され、Ｅメール着信の手順コード１５５に対応する、受信ボックス部５０に格納された、新着Ｅメールをメイン表示部９に表示するプログラムを直接的に起動する（ステップＳ１１６）。
この時の、新着Ｅメールをメイン表示部９に表示する動作手順を示したのが図７である。図７（ａ）に示される従来の移動体通信端末における動作手順の手順コード１００、１５１〜１５５に較べ、図７（ｂ）には、本実施形態における動作手順は、図７（ａ）における手順コード１５１〜１５４をスキップした手順コード１１０、１５５だけが示されている。明らかに、ユーザの操作は軽減されていることがわかる。
【００５３】
また、現在動作中機能検出部２８によって最新着信が「Ｃメール」であると判別された場合には（ステップＳ１１０；Ｙｅｓ）、現在動作中機能検出部２８によって機能設定テーブル４５が参照され、Ｃメール着信の手順コード１６５に対応する、受信ボックス部５０に格納された新着Ｃメールをメイン表示部９に表示するプログラムを起動する。
この時の、新着Ｃメールをメイン表示部９に表示する動作手順を示したのが図８である。図８（ａ）に示される従来の移動体通信端末における動作手順の手順コード１００、１６１〜１６５に較べ、図８（ｂ）には、本実施形態における動作手順は、図８（ａ）における手順コード１６１〜１６４をスキップした手順コード１１０、１６５だけが示されている。これより、明らかに、ユーザの操作は軽減されていることがわかる。
【００５４】
さらに、現在動作中機能検出部２８によって最新着信が「音声着信」であると判別された場合には（ステップＳ１１１；Ｙｅｓ）、現在動作中機能検出部２８によって機能設定テーブル４５が参照され、音声着信（着呼着信）の手順コード１７３に対応する、着信履歴記憶部５２に格納された、新着着信履歴をメイン表示部９に表示するプログラム、を起動する（ステップＳ１１８）。
この時の、音声着信している旨をメイン表示部９に表示する動作手順を示したのが図９である。図９（ａ）に示される従来の移動体通信端末における動作手順の手順コード１００、１６１、１７２，１７３に較べ、図９（ｂ）には、本実施形態における動作手順は、図９（ａ）における手順コード１６１〜１７２をスキップした手順コード１１０、１７３だけが示されている。これより、明らかに、ユーザの操作は軽減されていることがわかる。
【００５５】
上述したステップＳ１１４の処理、ステップＳ１１５の処理、ステップＳ１１６の処理、ステップＳ１１７の処理、ステップＳ１１８のいずれかの処理が終了するとフラグＦを「０」に戻し、プログラム起動管理部４０は処理を終了する。
【００５６】
以上までの処理が本実施形態に係る移動体通信端末１のプログラム起動管理部４０によって行われる動作内容である。
【００５７】
これにより、移動体通信端末１は、ユーザによる機能毎の操作を必要とせずに、移動体通信端末１の現在動作状態を検出し、その状態に応じて複数のプログラムの中から所望のプログラムを起動できる。
【００５８】
なお、本発明は、上記実施形態に限定されず、種々の変形、応用が可能である。以下、本発明に適用可能な上記実施形態の変形態様について、説明する。
【００５９】
上記実施形態において、プログラム起動管理部４０が起動命令する各管理部は、Ｗｅｂ管理部４２、メール管理部４３、電話管理部４４に限っている。しかし、本発明は、近年の移動体通信端末に多くみられる小型カメラによる撮影機能など、ありとあらゆる機能を制御するプログラムを自動に起動させることができる。
【００６０】
また、上記実施形態において、ショートボタン７の押下動作に連動して、プログラム起動管理部４０が実行されるような形態に限っていたが、これに限る必要はない。例えば、音声を認識することや、ユーザの指を認識すること（温度や指紋等）等、さまざまな形態の動作に連動して、プログラム起動管理部４０を実行させてもよい。
【００６１】
さらに、上記実施形態において、移動体通信端末のＣＰＵが実行するプログラムは、予めＲＯＭ等に記憶されていた。しかしながら、本発明は、これに限定されず、上述の処理を実行させるためのプログラムを、既存の移動体通信端末に適用することで、上記実施形態にかかる移動体通信端末として機能させるようにしてもよい。
【００６２】
このようなプログラムの提供方法は任意であり、例えば、インターネットなどの通信媒体を介して提供可能である他、例えば、メモリカードなどの記録媒体に格納して配布してもよい。
【図面の簡単な説明】
【００６３】
【図１】本発明の実施形態に係る移動体通信端末の外観構成例を示す図である。
【図２】図１に示す移動体通信端末の内部構成例を示すブロック図である。
【図３】本発明の実施形態における動作機能毎に割り付けられた手順コードが記憶される機能設定テーブルの一例を示す図である。
【図４】本発明の実施形態におけるプログラム起動処理を示すフローチャートである。
【図５】着信動作時の、従来の移動体通信端末におけるユーザの操作と本発明の実施形態におけるユーザの操作の比較を示す説明図である。
【図６】アラーム報音時の、従来の移動体通信端末におけるユーザの操作と本発明の実施形におけるユーザの操作の比較を示す説明図である。
【図７】Ｅメール着信時の、従来の移動体通信端末におけるユーザの操作と本発明の実施形態におけるユーザの操作の比較を示す説明図である。
【図８】Ｃメール着信時の、従来の移動体通信端末におけるユーザの操作と本発明の実施形態におけるユーザの操作の比較を示す説明図である。
【図９】新規音声着信時の、従来の移動体通信端末におけるユーザの操作と本発明の実施形態におけるユーザの操作の比較を示す説明図である。
【符号の説明】
【００６４】
１…移動体通信端末、２…蓋部、３…本体部、４…ヒンジ部、５…サブ表示部、６…アンテナ、７…ショートボタン、８…スピーカ、９…メイン表示部、１０…キー操作部、１１…マイクロフォン、１２…蓋部開閉スイッチ、２０…制御部、２１…無線部、２２…ブラウザ部、２３…ＩＭＡＰ部、２４…送受信部、２５…キー検出部、２６…開閉検出部、２７…表示制御部、２８…現在動作中機能検出部、２９…メール記憶部、３０…履歴記録部、４０…プログラム起動管理部、４１…スケジュール管理部、４２…Ｗｅｂ管理部、４３…メール管理部、４４…電話管理部、４５…機能設定テーブル、５０…受信ボックス部、５１…送信ボックス部、５２…着信履歴記憶部、５３…発信履歴記憶部
【図１】
2006332810.tif 000003
【図２】
2006332810.tif 000004
【図３】
2006332810.tif 000005
【図４】
2006332810.tif 000006
【図５】
2006332810.tif 000007
【図６】
2006332810.tif 000008
【図７】
2006332810.tif 000009
【図８】
2006332810.tif 000010
【図９】
2006332810.tif 000011